(57)【要約】【課題】テレビを介してインターネットにアクセスするテレビシステムを提供する。【解決手段】テレビは表示画面を有する。テレビシステムは、テレビに組み込まれたWi-Fi内蔵無線インターネット受信器および／または送信器を含み、インターネット受信器および送信器は、利用者がテレビを介してインターネットにアクセスすることを可能にする。【選択図】図１
2013232879.tif 000002
【特許請求の範囲】
【請求項１】
テレビを介してインターネットにアクセスするテレビシステムであって、前記テレビは表示画面を有し、前記テレビシステムは、
テレビに組み込まれるWi-Fi内蔵無線インターネット受信器および／または送信器を含み、
前記インターネット受信器および送信器は、利用者がテレビを介してインターネットにアクセスすることを可能にする
ことを特徴とするテレビシステム。
【請求項２】
前記インターネット受信器および送信器と交信するワイヤレスキーボードをさらに含む、請求項1のテレビシステム。
【請求項３】
例えばインターネットブラウザおよび電子メールプログラム等用ソフトウェア、および／または利用者が選択したソフトウェアをさらに含む、請求項1のテレビシステム。
【請求項４】
前記インターネット受信器および送信器は、無線インターネットルータと連動すると共に、Wi-Fiネットワーク、セルラー/衛星インターネットおよび他のタイプのインターネットと連動する、請求項1のテレビシステム。
【請求項５】
前記インターネットは、前記テレビの表示画面全体に表示される、請求項1のテレビシステム。
【請求項６】
前記インターネットは、前記テレビの表示画面の一部のみに表示され、テレビ番組が前記表示画面の別の部分に表示される、請求項１のテレビシステム。
【請求項７】
前記表示画面は、水平方向または垂直方向のいずれかにおいて、等しく半分に分割され、同時に、インターネットが前記表示画面の半分に表示されると共に、テレビ番組が、残りの半分に、またはウィンドウ内ウィンドウに表示される、請求項6のテレビシステム。
【請求項８】
インターネットは、スマートフォンおよびPDA、パソコン、およびプリンタ等と同期する、請求項1のテレビシステム。
【請求項９】
無線で互いに、また他の無線機器と交信する複数のテレビシステムをさらに含む、請求項1のテレビシステム。
【請求項１０】
前記テレビに組み込まれるCD/DVDバーナをさらに含む、請求項１のテレビシステム。
【請求項１１】
前記テレビに組み込まれるモデムをさらに含む、請求項1のテレビシステム。
【請求項１２】
前記テレビに形成されるSD（セキュアデータ）カードスロットまたは他のメモリースロットをさらに含む、請求項1のテレビシステム。
【請求項１３】
少なくとも1個またはそれより多くのデータポートをさらに含む、請求項1のテレビシステム。
【請求項１４】
インターネットおよびテレビの音声制御／音声認識装置、および／または関連する他のソフトウェアおよび／または技術をさらに含む、請求項1のテレビシステム。
【請求項１５】
テレビを介してインターネットにアクセスするテレビシステムであって、前記テレビは表示画面を有し、前記テレビシステムは、
前記テレビに組み込まれる無線インターネット受信器および／または送信器、または他の種類の受信器および／または送信器と、
インターネットブラウザおよび電子メールプログラム用ソフトウェアとを含み、
前記インターネット受信器および送信器は、利用者が前記テレビを介してインターネットにアクセスすることを可能にし、
インターネットは、前記テレビの表示画面の一部のみに表示され、テレビ番組が前記表示画面の別の部分に表示される
ことを特徴とするテレビシステム。
【請求項１６】
マザーボードをさらに含む、請求項１のテレビシステム。
【請求項１７】
テレビを介してインターネットにアクセスする方法であって、前記テレビは表示画面を有し
無線インターネット受信器および／または送信器を前記テレビに組み入れることと、
前記テレビを介してインターネットにアクセスすること
を含む方法。
【請求項１８】
前記コンピュータに関連する前記並びに他の構成部品、機能、特徴、ハードウェア、ソフトウェア／アプリケーション等、少なくともプロセッサ（CPU）および／または多重処理用マルチプロセッサ、作動システム、メモリ（RAM）、データ記憶装置、周辺機器および他の機器、グラフィックスカード、一台または複数のカメラ、マイク、およびマルチタスク、ネットワーク等を更に含む、請求項１のテレビシステム。
【請求項１９】
例えばLED（発光ダイオード）、LCD(液晶ディスプレイ)、プラズマ等または他のタイプのスクリーン、または最新のスクリーン技術を備えた様々な大きさの最新型高性能大画面薄型テレビ12に、無線インターネット受信器および／または送信器、ワイヤレスキーボード14、および高性能コンピュータの他の構成部品、ハードウェア／ソフトウェア等、機能および特徴を装備させた全体として符号10で示されるインターネットテレビシステム。
【請求項２０】
ケーブルボックス、衛星受信器ボックス、（ケーブルテレビ対応）アンテナなどのセットアップボックス（受信器ボックス）を必要とすることなく、入力信号を解読すると共に、その信号をテレビプログラミングサービスプロバイダから表示画面に表示されるように準備する内蔵型機器、受信器、テレビ内アンテナ。
【発明の詳細な説明】
【技術分野】
【０００１】
本発明は、概して、インターネットテレビシステムに関し、本発明は、特に、例えばLED（発光ダイオード）、LCD(液晶ディスプレイ)、プラズマ等または他のタイプのスクリーンおよび／または最新のスクリーン技術を備えた高性能の最新式大画面薄型テレビなどのテレビに、無線Wi-Fi、および／または他の受信器および／または送信器、マウスを備えたワイヤレスキーボード、および高性能PCの他の構成部品、機能、特徴、ハードウェア、ソフトウェア等を装備させたインターネットテレビシステムに関する。
【背景技術】
【０００２】
実質的に全てのアメリカの家庭に普及している２つの技術の態様を組み合わせることは重要である。特に、テレビとインターネットを利用可能なコンピュータを組み合わせることは望ましい。テレビとパソコンの両方が、別々に検討されて耐用期間を大きく変化させており、また、大画面薄型テレビおよび無線インターネットなどのこれらの技術における改良は継続的に行われている。
【０００３】
インターネットテレビの目的は、２つの製品のもつ最良の機能、構成要素を組み合わせて一つにすることにより、すばらしい製品を作り出し、ホームエンターテイメントを別のレベルに移行させることである。また、テレビが情報手段から娯楽手段へ移行、進化するにつれて、テレビを一層進化させるとともに、インターネットの成長および人気に適応する製品を作り出すことである。インターネットは、過去から現在まで長年に亘り成長し続け、また人気を一層増しており、より多くの人々が、これまでよりも多くの時間を費やして映画／ビデオをインターネットで見ており、ケーブル、衛星、また他の娯楽ネットワークの中で、大きな関心を生じさせている。このことは、インターネットが娯楽手段として成長していることの証明でもある。またインターネットテレビはそのような状況に適応しており、もはやテレビは、ケーブルテレビや衛星テレビ、ＤＶＤなどを鑑賞することのみに限定されない。
【０００４】
テレビおよびコンピュータの機能や構成要素を一つの製品に融合させることは、利用者に多大な利便性および多用性をもたらすものであり、最終的にインターネットテレビは極めて高性能のテレビになる。
【０００５】
インターネットテレビの技術を楽しみ、またインターネットテレビを支持する人々は、テレビを鑑賞し、スマートフォンやコンピュータを使用し、種々のソフトウェア／アプリケーションを操作し、様々なウェブサイトにアクセスし、調査／オンライン学習を行い、電子メールを読み、チャットまたはビデオチャットを行い、ビデオゲームを楽しみ、映画やビデオをダウンロードして鑑賞し、音楽をダウンロードして視聴し、テレビからのページをプリンタで印刷する等、マルチタスクを行う。インターネットテレビは、他の無線の製品／機器および技術と完全に互換性を有する。また、ここ数年に亘り、薄型テレビおよびコンピュータの価格は大きく低下しているので、平均的なインターネットテレビの価格も安価になる。
【発明の概要】
【発明が解決しようとする課題】
【０００６】
本発明の目的は、テレビとインターネットを利用可能なコンピュータを組み合わせることである。
【０００７】
インターネットテレビが解決する課題は、インターネットが成長し、進化し、娯楽手段になるにつれて、それに適応するより良い製品を提供することである。インターネットテレビはその隙間を埋めるものであって、コンピュータやスマートフォンでのみこれまで行なってきたことを、今や自身のテレビで行うことができる。様々なモデルに見られる機能には、テレビ／映画／ビデオを鑑賞し、音楽、ビデオ、写真等をダウンロードすると同時に、インターネットで様々なウェブサイトにアクセスする能力があり、分割されたスクリーンまたはウィンドウで、利用者は多くのチャンネルを同時に見たり、見ているインターネットウィンドウや映画の大きさを調整して、同じスクリーン上の一方または他方、或いは両方に一層注目するのである。例えば、大型スクリーンを備えたインターネットテレビでは、一人または複数の人間が２つの異なるテレビ番組を見ることができ、一方は音声を伴い、他方は字幕付きで音声の代わりに文字を見ることができ、また別の人物は、様々なウェブサイトにアクセスしてもよい。或いは逆に、一人がテレビを見つつ、他の二人が、付加的なキーボードやスマートフォンを利用して、同時に様々なウェブサイトにアクセスすることで、マルチ分割スクリーン機能の利点を十分に享受する。更には、インターネットテレビは、家庭内にある様々な他の無線機器や他のインターネットテレビと無線で通信するように構成されるので、インターネットテレビは家庭用電化製品をはるかに超えて、マルチモーダル無線通信システムである。また、インターネットテレビは、２つの製品に代わって１つの製品であることから、テレビおよびコンピュータの両方を使用する場合と比べて、エネルギ消費量がより小さい。
【課題を解決するための手段】
【０００８】
本発明は、テレビを介してインターネットにアクセスするテレビシステムである。テレビは表示画面を有する。テレビシステムは、テレビに組み込まれた無線インターネット受信器および／または送信器を含み、インターネット受信器および送信器は、利用者がテレビを介してインターネットにアクセスすることを可能にする。
【０００９】
さらに、本発明は、テレビを介してインターネットにアクセスするテレビシステムを含む。テレビは表示画面を有する。テレビシステムは、テレビに組み込まれたWi-Fiまたはホットスポット内蔵としても知られている無線インターネット受信器および／または送信器と、インターネットブラウザおよび電子メールプログラム用のソフトウェアを含む。インターネットは、テレビの表示画面の一部に表示され、テレビ番組が表示画面の別の部分に、またはテレビ番組内に表示されてもよい。
【００１０】
インターネットテレビは、同様な機能を備えた最新の薄型スクリーンのような外観を呈している。様々なモデルで多様な機能、スクリーンサイズ、およびスクリーン種類を備える。利用者はスクリーンにタッチし、および／または非機械的なタッチボタン、スライダまたはホイールタイプの制御装置を使用し、音声認識ソフト（音声制御装置、パーソナルアシスタント、および／または同種類のソフト）を使用することが可能であり、或いは、ケーブルボックス／衛星ボックスがなくてもケーブルまたは他のネットワークチャンネルを鑑賞したり、外付けモデムがなくてもインターネットにアクセスしたり（いくつかのモデルでは内蔵型機器を有していてもよく、その場合には、ケーブルチャンネルを観るために、ケーブルボックスや他の類似する機器を有する必要がない）、アプリケーション／ソフトウェア／プログラムを作動させたり、内蔵型ウェブカメラ、ブルートゥース、または他の無線機器、Wi-Fi受信器および／または送信器、または他の無線機器と通信可能な他の無線技術を備えてもよい。幾つかのモデルでは、ＣＤやＤＶＤ／ブルーレイなどのディスク用ドライブ、例えばＵＳＢ、ＨＤＭＩ用ポート、ＳＤやマイクロＳＤなどのメモリーカードを有してもよい。マウスを備えた無線キーボードを使用して、インターネットにアクセスしたり、電子メールを作成したり、テレビを制御することも可能である。
【００１１】
インターネットテレビは、壁用ブラケットを使用して取り付けられ、或いは壁面（壁のくりぬき領域）に、またはスタンドに置かれてよく、或いは、天井から吊り下げられてもよい。幾つかのモデルでは、商業的に使用するように構成されてもよい。破壊防止／保護性能、耐候性を備えてもよく、また、掲示板として使用してもよく、ホテル、病院、レストラン、空港、商店、または他の公共施設（屋外であってもよい）で使用することもできる。商業目的のものでは、カメラを備えているのならば、掲示板および防犯システムとして機能させることも可能であり、その場合には、全てのインターネットテレビカメラは、１個のメインユニットに、或いはインターネットを通じてリンクされており、他の防犯ＤＶＲシステムと同様に、ギャラリー、スライドショー等のように、複数の方法で見られる。
【００１２】
概寸は、必要に応じて、高さ、長さ、幅、直径が夫々、多様に変化していてよい。
【発明の効果】
【００１３】
テレビとインターネットを利用可能なコンピュータを組み合わせることにより、現代の家庭における電子的な娯楽/情報の要求すべてを満たすことができる。また、掲示板として、商業的な利用のために作ることもでき、また、ホテル、病院、レストラン、空港あるいは他の公共の場所で使用することができる。
【００１４】
インターネットテレビの効果としては、テレビおよびコンピュータの最良なおよび／または様々な機能および構成要素を１つの製品に組み合わせることである。２つの最良の製品を１つの素晴らしい製品に獲得するのである。インターネットテレビはもはや、ただのテレビではなく、家庭用娯楽、情報および通信システムである。
【００１５】
インターネットテレビは、自身のスマートフォンまたはコンピュータのように、個人の要求に合わせてカスタマイズされるとともに、選択されたアプリケーション／ソフトウェアをダウンロードして作動させ、それ自体で自動更新すると共に他の機器（スマートフォン、コンピュータ、プリンタ、ＤＶＲおよび他のインターネットテレビ）と連動して、テレビ／映画／ビデオをケーブルから鑑賞し、或いは、インターネットテレビ／ビデオ／映画を鑑賞し、ネットフリックスやブロックバスターなどからオンラインで映画を購入／レンタルして即座に鑑賞し、ライブインターネットテレビショー、映画およびプログラムをウェブサイトから配信し、また、インターネットラジオおよび他の番組をインターネットから視聴し、音楽、映画、写真をダウンロードし、電子メールを送信する等、また様々なウェブサイトにアクセスし、ビデオゲームを楽しむ能力を有し、マルチタスクを行うのに最適であり、単にマウスをクリックしたり、ワイヤレスキーボードを数回たたくだけで、直ぐにコンテンツを大型の薄型高解像度プラズマ、ＬＣＤスクリーンまたは最新のスクリーン技術で楽しむことができる。
【００１６】
インターネットテレビは、テレビ、映画、ビデオゲーム、およびテレビと関連する他の提供物を楽しむ人々、またインターネットのオンラインの世界、コンピュータおよびスマートフォンのアプリケーションを好む人々にとって等しく便利である。インターネットテレビは、単一の機器で、現代家庭における電子的な娯楽／情報に対する要求全て満たす。
【００１７】
高品質薄型スクリーンテレビに、無線ルータのように機能する無線インターネット受信器および／または送信器、並びに無線キーボード、インターネットを使用したり電子メールを送る等のためのインターネットブラウザ、人気のあるソフトウェア／アプリケーション、サービス、機能、構成、およびプロセッサ、作動システム、メモリおよび／またはコンピュータの他のコンポーネント／構成を装備することにより、インターネットテレビは、テレビの機能を、大型の高解像度コンピュータモニタの機能を含むように拡張させる。機能、構成部品、寸法、色、ソフトウェア等は、モデル毎に異なっていてよい。インターネットテレビは、Wi-Fiネットワーク、セルラー／衛星インターネット、または他のタイプのインターネット等、無線インターネットルータおよび／または他の通信と併せて作動するように装備することも可能である。
【００１８】
例えばインターネットテレビのスクリーンオプションでは、利用者が、テレビ、ビデオおよびインターネットを画面全体で、ギャラリーで、分割／マルチスクリーンで見ることが可能である。マルチウィンドウまたは他のスクリーンオプションでは、視聴者がテレビ、ビデオ（ＤＶＤ）およびインターネットウィンドウを同時に楽しむことが可能である。例えば、好きな歌のＭＴＶを鑑賞したりミュージックビデオを見て、別のウィンドウ或いは同じ画面でインターネットを使用して、アーチストや歌を調べたり、歌を購入して互換性のあるＭＰ３プレイヤー、ＤＶＲ、携帯電話、インターネットテレビまたは他の機器へ直接ダウンロードすることができる。映画、ビデオ、音楽、写真等は、互換性のあるＤＶＲ（インターネットテレビの幾つかのモデルは内蔵型ＤＶＲを備えてもよい）に直接ダウンロードすることができる。また、ＤＶＲ内のビデオ、音楽、写真等を探すために、インターネットテレビを使用することもできる。ウィンドウの大きさも、例えば利用者がオンラインで記事やニュースを読んだり、単語を見たり読んだりするためにページまたはウィンドウを拡大する必要があるならば、必要に応じて、例えばウェブブラウザのように調節／拡大することができる。コンピュータのウェブブラウザに見られる一般的な機能のほとんどは、インターネットテレビのブラウザにも見られる。利用者は、選択したウェブブラウザを装備し、使用することさえもできる。
【００１９】
インターネットテレビは、携帯電話、ＰＤＡ、パソコン、プリンタ、無線外付けハードドライブ、ＭＰ３プレイヤー等の他の家庭用無線機器と無線互換性を有する。それにより、コンテンツをこれらの機器およびインターネットテレビの間において、無線で共有或いはダウンロードすることができる。更に、家庭内に装備された複数のインターネットテレビは、複数のラップトップ／コンピュータが同じ無線ルータ信号を共有するように、互いに無線でリンクされてもよい。様々なモデルのインターネットテレビは、いずれかのインターネットからのディスクまたは情報をインターネットテレビへ再生またはコピーするために、ＣＤ／ＤＶＤプレーヤ／バーナを装備してもよい。必要に応じて、インターネットテレビおよび他の機器の間で、移動／ダウンロードされたファイルを受け入れるために、内蔵型無線モデムおよびＳＤ（セキュアデータ）カードポート、ＨＤＭＩ、ＵＳＢ等のポートおよび／または他のポートおよびプラグの差込口を含んでもよい。幾つかのモデルでは、ポートまたはボタンを僅かに有し、或いは有さなくてもよく、また、完全に／殆ど、または部分的に無線であってよい。
【００２０】
ＤＶＤプレイヤーを備えたインターネットテレビは、一例として、美容室、理髪店で、或いは航空機内で作動させてもよく、このＤＶＤプレイヤーを備えたインターネットテレビは、全ての他のインターネットテレビ上で無線で再生する。それ故、全てのインターネットテレビは、１つの供給源からの同じ映画を再生する。また、互換性のあるスマートフォンケーブル／衛星、ＤＶＲ機器等と同じように作動させてもよい。（このモデルのインターネットテレビ各々は、信号を受信および／または送信する）。
【００２１】
幾つかのモデルではまた、音声認識／音声指示および／または同様なタイプのソフトウェアと共に作動してもよく、利用者は、例えばパーソナルアシスタントのように、自身の声で、インターネットテレビに対して通信および制御することができる。自身の声等を使うだけで、テレビの設定を調整し、オンラインで何かを調査し、最も近い好みのレストランの場所を探し、天気、映画を調べ、電子メールをチェックし、電話やビデオコールを行い、或いはテキスト・メッセージを送ることができる。
【００２２】
小型の最新型ラップトップ、ネットブック等を考えると、コンピュータの構成部品の全部または一部を、インターネットテレビに組み込むことにより、完全かつ独自に一体型システムを製造することは、既存の技術の範疇にある。極めて高性能なテレビである。
【００２３】
技術的な前進および発展として、特徴、構成要素／部品は、インターネットテレビを向上させるために、追加或いは除去されてよい。機能はモデル毎に変わる。幾つかのモデルでは、他よりも多くのまたは少ない機能を有してよい。
【図面の簡単な説明】
【００２４】
【図１】本発明に従って構築されたインターネットテレビシステムを説明する斜視図。
【図２】テレビの音声認識がどのように使用されるかの例を概略的に示す図。
【発明を実施するための形態】
【００２５】
図1に示されるように、本発明は10で概して示されているインターネットテレビシステムであり、例えばLED（発光ダイオード）、LCD(液晶ディスプレイ)、プラズマ等または他のタイプのスクリーン、または最新のスクリーン技術を備えた高性能の様々なサイズの最新式大画面薄型テレビ12に、無線インターネット受信器および／または送信器、ワイヤレスキーボード14、およびプロセッサ、作動システム、マザーボード、メモリ、データ記憶装置などの高性能コンピュータの他の構成部品、ハードウェア／ソフトウェア等、機能および特徴を装備させている。
【００２６】
本発明のインターネットテレビシステム10は、高品質薄型テレビ12に、無線ルータのように機能する無線インターネット受信器および／または送信器、ならびにワイヤレスキーボード14、インターネットブラウザ、電子メールプログラム用ソフトウェア、および他の所望のソフトウェアまたはアプリケーションのサービスまたは機能を装備している。インターネットテレビシステム10は、大型の高解像度コンピュータ用モニタの機能を含むように、テレビの機能を拡張する。様々なモデルは、多様なサイズ、スクリーンタイプ、構成部品、機能、特徴、ハードウェア、ソフトウェア等を有することが可能である。インターネットテレビシステム10は、無線インターネットルータと連動して、および／またはWi-Fiネットワーク、セルラー／衛星インターネットまたは他のタイプのインターネットと連動するように装備されてよい。テレビ１２での画面オプションにより、利用者は、テレビ12およびビデオをフルスクリーンで見たり、インターネット (およびインターネットからのダウンロードコンテンツ)をフルスクリーンで見ることが可能となり、また、分割ウィンドウ機能、ウィンドウ内ウィンドウ機能、または同時複数ウィンドウ機能等は、視聴者が、テレビおよびインターネットのウィンドウを同時に楽しむことを可能にする。インターネットテレビシステム10は、スマートフォンおよびPDA、パソコン、プリンタなどのような他の家庭用無線通信機器との無線互換性を有しており、その結果、これらの機器およびインターネットテレビ12の間において、コンテンツが共有またはダウンロードされる。さらに、家庭内に導入された複数のインターネットテレビシステム10は、複数のラップトップが同じ無線ルータ信号を共有することができるように、互いに無線でリンクすることができる。
【００２７】
テレビまたはインターネットのいずれかからダウンロードすると共にディスクをコピーするために、本発明のインターネットテレビシステム10の様々なモデルが、それ自体のCD/DVDバーナを装備してもよい。いくつかのインターネットテレビシステム10は、ダウンロードされたデータ、またはコンピュータへのファイル転送、あるいはコンピュータからテレビ12へのファイル転送を受け入れるために、内蔵モデム、およびSD（セキュアデータ）カードスロット、および／またはUSBまたは他のポートを含んでもよい。小型サイズの最新式ラップトップ、タブレットおよびネットブックを考えると、インターネットテレビシステム10にコンピュータの構成部品、特徴、ソフトウェア、ハードウェア等の全体または一部を組み入れることにより、完全かつ独自に、一体型システムを製造することは、既存する技術の可能性の範疇にある。
【００２８】
本発明のインターネットテレビシステム10は、大画面薄型LED、LCDテレビ12等または他のテレビ12を、無線インターネット機能と組み合わせた家庭用娯楽、情報、および通信システムであり、利用者に、多大な便宜性および多用性をもたらす。インターネットテレビシステム10は、テレビおよびインターネットブラウザの機能を組み合わせることにより、利用者が、例えば1つのウィンドウで映画を見ると共に、別のウィンドウで、主役やロケ地を特定し、また、映画の批評を読むためにインターネットを使用ことを可能にする。利用者は、ビデオをダウンロードし、ビデオチャットを行い、VPN（仮想プライベートネットワーク）または他のネットワークを使用し、テレビを鑑賞し、インターネットラジオを視聴し、また他のプログラム等をインターネットから得るために、インターネットテレビシステム10を使用することが可能であり、且つ、マウスのクリック、あるいはワイヤレスキーボード14を数回打つことにより、直ちに、大画面薄型高解像度テレビ12でコンテンツを楽しむのである。さらに、インターネットテレビシステム10が様々な他の無線機器、および家庭内の他のインターネットテレビシステム10と無線で通信するように構成されるので、インターネットテレビシステム10は、家庭用電化製品をはるかに越え、マルチモーダルな無線通信システム10である。テレビ、映画、ビデオゲーム、およびテレビに関連した他の提供物を楽しむ人々、およびインターネットのオンライン世界を好む人々にとって等しく有用なので、インターネットテレビシステム10は、単一の機器において、現代家庭における電子的な娯楽/情報の要求すべてを満たす。
【００２９】
本発明のインターネットテレビシステム10の様々なモデルは、掲示板として、商業的な利用のために作ることもでき、また、ホテル、病院、レストラン、空港あるいは他の公共の場所で使用することができる。インターネットテレビシステム10のいくつかのモデルは、ボイスコマンド等の音声アプリケーションを使用して、音声によって制御されるように作ることもできる。例えば、インターネットテレビシステム10のいくつかのモデルは、利用者が通信することができる携帯端末アバターを有してもよい。
【００３０】
図２は、概して、テレビ12で音声認識がどのように使用されるかの一例を示す。図２において、利用者は、テレビ上のアバター（例えば、ティナという名前の女性）に、午後９時に開始するコメディー映画のリストを見つけるように依頼することにより、テレビと通信している。アバターは、それに応じて、その時間に開始するコメディー映画のリストを見つける。テレビ上の画像は、男性あるいは女性のアバターであり、また利用者が選択した名前、画像またはアクセントを有していてもよい。例えば、中国人は、テレビ上のアバターに中国人の名前を選んでもよく、また、アメリカ人は、アメリカ人の名前を使用してよい。
【００３１】
利用者はアバターに、天気がどうであるかといったあらゆる質問をしてもよく、また、アバターは、天気予報を取ってくることができる。さらに、利用者は、事実を調べたり、映画、音楽、ビデオゲームを見つけたり、レストラン、銀行、公共施設、オンラインショップなどの場所を探すために、アバターを利用してもよく、リストはいくらでもあり、可能性は無限である。
【００３２】
本発明の先の例証的記述および好適な実施形態は、図面中で説明されると共に、詳細に記載されており、様々な改変および代替実施形態が教示されている。当然のことながら、特徴等はモデル毎に変わっていてもよく、また、技術が進歩するにつれて、構成部品、特徴、機能、ハードウェア／ソフトウェア、スクリーン等は、インターネットテレビを更新すると共にそれを維持するために、追加、削除、または変更されてよい。発明は上述のように示され、説明され、かつ図示されているが、形態および細部における同等の変更は、発明の真の精神および範囲から逸脱することなく、本明細書においてなされてよく、また、本発明の範囲は、先行技術によって排除されたものを除き、請求項のみに制限されることは、当業者であれば理解できる。さらに、本明細書に開示される発明は、本明細書に開示される特定の要素がない状態で、適切に実施される可能性がある。
【図１】
2013232879.tif 000003
【図２】
2013232879.tif 000004